(57)【要約】【課題】渡し板の段差を無くすとともに、構造を簡素化し動作を確実なものとして信頼性を向上させ、さらにかごから突出する部分を無くしてエレベータの設置スペースを小さくすることができるエレベータの安全救出装置を得る。【解決手段】隣接して設けられたエレベータの第１、第２のかご１Ａ、１Ｂに設けられるエレベータの安全救出装置であって、第１、第２のかご１Ａ、１Ｂの互いに対向するかごの側壁２ａに開口するかご室側部救出口２ｃにそれぞれ開閉自在に設けられた救出扉３と、少なくとも一方の第１のかご１Ａに設けられ、他方の第２かご２Ｂに向かって進退動可能に設けられ、第１のかご１Ａの床下に後退した収納位置と、両かご１Ａ、１Ｂ間に架け渡された救出位置との間を移動可能に設けられた渡し板５と、渡し板５に接続され、渡し板５を収納位置から引き出すとともに、救出位置に配置する引き出し手段１０とを有する。【選択図】        図１
2004224471.tif 000002
【特許請求の範囲】
【請求項１】
隣接して設けられたエレベータの第１、第２のかごに設けられるエレベータの安全救出装置であって、
上記第１、第２のかごの互いに対向するかごの側壁に開口するかご室側部救出口にそれぞれ開閉自在に設けられた救出扉と、
少なくとも一方の第１のかごに設けられ、他方の第２かごに向かって進退動可能に設けられ、上記第１のかごの床下に後退した収納位置と、両かご間に架け渡された救出位置との間を移動可能に設けられた渡し板と、
上記渡し板に接続され、該渡し板を上記収納位置から引き出すとともに、
上記救出位置に配置する引き出し手段と
を有することを特徴とするエレベータの安全救出装置。
【請求項２】
上記渡し板は、上記収納位置にて全体が上記第１のかごの床下に収納される
ことを特徴とする請求項１に記載のエレベータの安全救出装置。
【請求項３】
上記渡し板は、上記救出位置にて先端部を上記第２のかごに設けられた支持部に支持される
ことを特徴とする請求項１または２に記載のエレベータの安全救出装置。
【請求項４】
上記引き出し手段は、上記渡し板の後端部に接続され、上記第１のかごの床下にて上記救出位置側に延びたのち、折り返し手段にて折り返されて、該第１のかごの上記かご室の内に延び、該かご室の内から手繰れるように配設されたロープである
ことを特徴とする請求項１から３のいずれかに記載のエレベータの安全救出装置。
【請求項５】
上記引き出し手段は、上記渡し板に移動方向に沿って形成されたラックと、上記第１のかごの床下に回転自在に設けられ上記ラックと噛合する小歯車と、上記小歯車の中心軸に巻き付けられ一端が上記第１のかごの上記かご室の内に延び、該かご室の内から手繰れるように配設されたロープとを有することを特徴とする請求項１から３のいずれかに記載のエレベータの安全救出装置。
【請求項６】
上記渡し板と上記支持部の間には、上記救出位置にて互いに係合し、該渡し板が該支持部から外れることを防止する外れ止め防止手段が設けられている
ことを特徴とする請求項１から５のいずれかに記載のエレベータの安全救出装置。
【発明の詳細な説明】
【０００１】
【発明の属する技術分野】
この発明は、故障等で停止したエレベータのかご内乗客を隣接して設けられた他のエレベータかごにより救出するときに使用するエレベータの安全救出装置であって、特に渡し板に段差がないように、また、かごの周囲に突出しないように改善されたエレベータの安全救出装置に関するものである。
【０００２】
【従来の技術】
近年、ビルの高層化が進む中で縱の交通の効率化を図る為、エレベータを高速化すると同時に一部不停止階を設けたエレベータの設置が増える傾向にある。この種のエレベータに於いては、万一、不停止階で非常停止した場合、隣接するエレベータかごに乗客を移行させて救出する為、かごの側壁にかご室側部救出口が設けられている。このかご室側部救出口を使用して乗客を救出する方法としては、例えば、かご室側部救出口に設けられた救出扉を開いた後に、予め救出扉の裏側に取り付けてある渡し板を外して、この渡し板を救出側のかごと故障側のかごに架け渡して乗客を救出する方法がある。
【０００３】
しかしながら、上述の方法においては、まず救出扉の裏側に設置されている渡し板を取り外さなければならず、緊急を要する救出の際に時間がかかるので問題であった。さらに、救出側のかごと故障側のかごとの間隔が広い場合、長尺の渡し板を架け渡すことになるが、渡し板が長いと取り扱いが非常に難しくさらに時間がかかるので問題であった。
【０００４】
この問題を解決すべく、例えば次の提案がされている。すなわち、かご室側部の支柱に回動自在に設けられ且つ２段回にスライドして延びるステップを設け、使用時にこのステップを水平に倒し、さらに２段目のステップをスライドさせて延長させることにより故障側のかごに渡す構造のもので、時間の短縮、及び操作性の改善を図るものである（例えば、特許文献１参照）。
【０００５】
【特許文献１】
特開平１０−１０１２７０号公報
【０００６】
【発明が解決しようとする課題】
しかしながら、上述の２段回スライドステップ方式のものは、１段目のステップと２段目のステップとの間に段差が生じ、救出者が渡る際にこの段差に注意を払う必要があり改善が求められていた。また、この先行技術のものは、装置がかご室の側部に設けられる為、かごの外形が大きくなりエレベータを設置する際に広いスペースを必要とするので問題であった。さらには、ヒンジや支持部材等の構成部品が多く構造が複雑で信頼性に欠け、さらに操作が難しいので改善が求められていた。
【０００７】
この発明は、上述のような課題を解決するためになされたもので、渡し板の段差を無くすとともに、構造を簡素化し動作を確実なものとして信頼性を向上させ、さらにかごから突出する部分を無くしてエレベータの設置スペースを小さくすることができるエレベータの安全救出装置を得ることを目的とする。
【０００８】
【課題を解決するための手段】
この発明に係るエレベータの安全救出装置は、隣接して設けられたエレベータの第１、第２のかごに設けられるエレベータの安全救出装置であって、第１、第２のかごの互いに対向するかごの側壁に開口するかご室側部救出口にそれぞれ開閉自在に設けられた救出扉と、少なくとも一方の第１のかごに設けられ、他方の第２かごに向かって進退動可能に設けられ、第１のかごの床下に後退した収納位置と、両かご間に架け渡された救出位置との間を移動可能に設けられた渡し板と、渡し板に接続され、渡し板を収納位置から引き出すとともに、救出位置に配置する引き出し手段とを有する。
【０００９】
【発明の実施の形態】
実施の形態１．
図１はこの発明のエレベータの安全救出装置の実施の形態１を示す要部の斜視図である。また、図２は図１の安全救出装置の渡し板を引き出してない状態の斜視図である。図３は隣接する２つのかごの上方から見た概略の断面図である。図４は安全救出装置の渡し板と引き出し手段のみを示す斜視図である。図５は安全救出装置を操作している様子を示す説明図である。
【００１０】
隣接して設けられたエレベータの第１のかご１Ａと第２のかご１Ｂにそれぞれ、エレベータの安全救出装置が設けられている。図では、主に第１のかご１Ａに設けられた安全救出装置のみを示しているが、実際には両かご１Ａ、１Ｂの各々に安全救出装置がほぼ対称に設けられている。動作を説明する上で、第１のかご１Ａを救出側のかご、第２のかご１Ｂを故障側のかごとする。
【００１１】
安全救出装置は、救出扉３、渡し板５及び引き出し手段１０から構成されている。救出扉３は、第１、第２のかご１Ａ、１Ｂのかご室２の互いに対向するかごの側壁２ａに開口するかご室側部救出口２ｃに、それぞれ開閉自在に設けられている。救出扉３は、例えば鋼板を折り曲げて作製され、図示しない蝶番を介してかご室側部救出口２ｃの枠体に取り付けられている。救出扉３の裏面には、後で述べるロープ６の持手６ａを掛けるフック３ａが設けられている。
【００１２】
かご床４の床下に渡し板５が収納されている。渡し板５は、例えば長尺矩形鋼板の両縁部を各々断面Ｌ字型に折り曲げて作製され、外側面の後端部にピン５ａが立設されている。渡し板５は、かご床４下に設けられた図示しないガイド部材に形成されたガイド長穴４ａにピン５ａを係合させて、ガイド長穴４ａに案内されて他方のかごに向かって出入可能に支持されている。かご床４の側面に形成され、渡し板５が出没する穴４ｃは、同時に、他方のかごから延びた渡し板５の先端部が挿入して支持される支持部を構成している（以後、穴４ｃをかご床挿入穴４ｃと称す）。そして、渡し板５は、かごの床下に後退した収納位置と両かご１Ａ、１Ｂ間に架け渡される救出位置との間を移動する。収納位置では、渡し板５の全体がかごの床下に収納されており、さらに開口部から所定の距離退いた位置にあり、上述のかご床挿入穴４ｃが開口部に形成される。一方、救出位置では、かご床挿入穴４ｃから突出した渡し板５の先端部が、故障側のかご床挿入穴４ｃに係合して、両かご１Ａ、１Ｂ間に架け渡される。
【００１３】
次に、引き出し手段１０について説明する。図４に示されるように、渡し板５の後端部に立設されたピン５ａにロープ６の一端が接続されている。ロープ６の他端は、かごの床下にて救出位置側（かご床挿入穴４ａ側）に延びたのち、折り返し手段１１としてのローラ４ｂ及びパイプ２ｄにて折り返されて、常時は救出扉３の裏面のフック３ａに掛けられている。そして、救出時には巾木台７上に引き出されて、かご室２の内から手繰れるように配設されている。ここで、ローラ４ｂは、かごの床下に回転自在に支持されている。パイプ２ｄは、かご室側部救出口２ｃ下部のかごの側壁２ａに垂直に固定されている。
【００１４】
図５に示されるように、救出時には、救出側のかご１Ａに乗り込んだ救出員が、救出扉３を空けてロープ６の持手６ａを持ってこれを引く、或いはロープ６を手繰り寄せる。これにより、渡し板５が引き出されて、渡し板５の先端部が故障側のかご１Ｂのかご床挿入穴４ｃに挿入されて係合する。そして、故障側のかご１Ｂの乗客は、渡し板５を渡って救出側のかご１Ａに移動する。つまり、ロープ６は、渡し板５に接続され、渡し板５を収納位置から引き出すとともに、救出位置に配置する引き出し手段１０を構成している。
【００１５】
このように構成されたエレベータの安全救出装置においては、第１、第２のかご１Ａ、１Ｂの互いに対向するかごの側壁２ａに開口するかご室側部救出口２ｃにそれぞれ開閉自在に設けられた救出扉３と、第１、第２のかご１Ａ、１Ｂに設けられ、他方のかごに向かって進退動可能に設けられ、かごの床下に後退した収納位置と、両かご間に架け渡された救出位置との間を移動可能に設けられた渡し板５と、渡し板５に接続され、渡し板５を収納位置から引き出すとともに、救出位置に配置する引き出し手段１０とを有している。そのため、渡し板５の段差を無くすことができるとともに、構造を簡素化し動作を確実なものとして信頼性を向上させることができる。
【００１６】
また、渡し板５は、収納位置にて全体がかごの床下に収納されるので、さらにかごから突出する部分を無くしてエレベータの設置スペースを小さくすることができる。
【００１７】
また、渡し板５は、救出位置にて先端部を故障側のかご１Ｂに設けられた支持部に支持される。そのため、渡し板５が安定して安全性が向上する。
【００１８】
さらに、引き出し手段１０は、渡し板５の後端部に接続され、かごの床下にて救出位置側に延びたのち、折り返し手段１１にて折り返されて、かご室２の内に延び、かご室２の内から手繰れるように配設されたロープ６である。そのため、構造を簡素化し動作を確実なものとして信頼性を向上させることができる。
【００１９】
尚、本実施の形態においては、隣接して設けられたエレベータの第１のかご１Ａと第２のかご１Ｂにそれぞれ、エレベータの安全救出装置が設けられているが、設置条件等の関係により、いずれか一方のみに設けられてもよい。
【００２０】
実施の形態２．
図６はこの発明のエレベータの安全救出装置の実施の形態２を示す要部の斜視図である。本実施の形態の引き出し手段２０は、渡し板５に移動方向に沿って形成されたラック１５ａと、かごの床下に回転自在に設けられラック１５ａと噛合する小歯車１５ｂと、小歯車１５ｂの巻軸（中心軸）１５ｃに巻き付けられたロープ１６から構成されている。ロープ１６の一端は、ローラ４ｄにて折り返されてかご室２の内部に延び、かご室２の内から手繰れるように配設されている。
【００２１】
このように構成されたエレベータの安全救出装置においては、引き出し手段２０の動作をさらに確実にすることができ、装置の信頼性がさらに向上する。
【００２２】
実施の形態３．
図７はこの発明のエレベータの安全救出装置の実施の形態３を示す渡し板の先端部とかご床挿入穴の断面図である。本実施の形態の渡し板２５の先端部には、係合部として係合凸部２５ａが設けられている。係合凸部２５ａは、先端部を半球形に形成さればね２５ｃによって出没可能に配設されている。一方、かご床４に形成されたかご床挿入穴４ｃには、係合凸部２５ａと係合する非係合部としての係合凹部４ｅが形成されている。
【００２３】
このように構成されたエレベータの安全救出装置においては、係合凸部２５ａと係合凹部４ｅとは、渡し板２５が救出位置に位置する際に互いに係合し、渡し板２５がかご床挿入穴（支持部）４ｃから外れることを防止する外れ止め防止手段３０が設けられているので、渡し板２５が外れることが防止され、装置の安全性がさらに向上する。
【００２４】
【発明の効果】
この発明に係るエレベータの安全救出装置は、隣接して設けられたエレベータの第１、第２のかごに設けられるエレベータの安全救出装置であって、第１、第２のかごの互いに対向するかごの側壁に開口するかご室側部救出口にそれぞれ開閉自在に設けられた救出扉と、少なくとも一方の第１のかごに設けられ、他方の第２かごに向かって進退動可能に設けられ、第１のかごの床下に後退した収納位置と、両かご間に架け渡された救出位置との間を移動可能に設けられた渡し板と、渡し板に接続され、渡し板を収納位置から引き出すとともに、救出位置に配置する引き出し手段とを有するので、渡し板の段差を無くすとともに、構造を簡素化し動作を確実なものとして信頼性を向上させ、さらにかごから突出する部分を無くしてエレベータの設置スペースを小さくすることができる。
【図面の簡単な説明】
【図１】この発明のエレベータの安全救出装置の実施の形態１を示す要部の斜視図である。
【図２】図１の安全救出装置の渡し板を引き出してない状態の斜視図である。
【図３】図３は隣接する２つのかごの上方から見た概略の断面図である。
【図４】安全救出装置の渡し板と引き出し手段のみを示す斜視図である。
【図５】安全救出装置を操作している様子を示す説明図である。
【図６】この発明のエレベータの安全救出装置の実施の形態２を示す要部の斜視図である。
【図７】この発明のエレベータの安全救出装置の実施の形態３を示す渡し板の先端部とかご床挿入穴の断面図である。
【符号の説明】
１Ａ  第１のかご、１Ｂ  第２のかご、２  かご室、２ａ  側壁面、２ｃ  かご室側部救出口、２ｄ  パイプ、３  救出扉、３ａ  フック、４  かご床、４ａガイド長穴、４ｂ  ローラ、４ｃ  かご床挿入穴（支持部）、４ｄ  ローラ、４ｅ  係合凹部（非係合部）、５  渡し板、５ａ  ピン、６  ロープ、６ａ  持手、７  巾木台、１０  引き出し手段、１１  折り返し手段、１５  渡し板、１５ａ  ラック、１５ｂ  小歯車、１５ｃ  巻軸（中心軸）、１６  ロープ、２０引き出し手段、２５  渡し板、２５ａ  係合凸部（係合部）、２５ｃ  ばね、３０  外れ止め防止手段。
【図１】
2004224471.tif 000003
【図２】
2004224471.tif 000004
【図３】
2004224471.tif 000005
【図４】
2004224471.tif 000006
【図５】
2004224471.tif 000007
【図６】
2004224471.tif 000008
【図７】
2004224471.tif 000009